(57)【特許請求の範囲】
【請求項１】
表示器と、
回路基板と、
前記回路基板に接続された電源ケーブルと、
前記回路基板の板厚方向視にて前記電源ケーブルと重複する重複部を有し、前記表示器に接続された接続ケーブルと、
前記回路基板から突出し、前記電源ケーブルと前記重複部との間に配置された突出部と、
を備える情報処理装置。
【請求項２】
前記突出部には、グランド部が設けられている、
請求項１に記載の情報処理装置。
【請求項３】
前記回路基板は、鉛直方向を板厚方向として配置され、
前記突出部は、前記回路基板から水平方向に突出し、
前記電源ケーブルは、前記突出部に対する鉛直方向上側を通り、
前記重複部は、前記突出部に対する鉛直方向下側に配置される、
請求項１又は請求項２に記載の情報処理装置。
【請求項４】
前記重複部は、その自重により前記突出部に対して鉛直方向下側に離間される、
請求項３に記載の情報処理装置。
【請求項５】
前記回路基板の下面には、電源コネクタ及び接続コネクタが実装され
前記電源ケーブルは、前記電源コネクタに接続され、
前記接続ケーブルは、前記接続コネクタに接続されている、
請求項３又は請求項４に記載の情報処理装置。
【発明の詳細な説明】
【技術分野】
【０００１】
本願の開示する技術は、情報処理装置に関する。
【背景技術】
【０００２】
情報処理装置としては、例えば、ノート型パーソナルコンピュータが知られている（例えば、特許文献１参照）。このノート型パーソナルコンピュータは、回路基板を有する本体装置と、表示器をする表示装置とを備える。表示装置は、本体装置に回動可能に固定される。また、一般に、回路基板には、電源ケーブルが接続され、表示器と回路基板とは接続ケーブルによって接続される。
【先行技術文献】
【特許文献】
【０００３】
【特許文献１】特開２０１２−１４１９３５号公報
【特許文献２】特開昭６２−１３５２１６号公報
【特許文献３】特開２００９−４４５０３号公報
【発明の概要】
【発明が解決しようとする課題】
【０００４】
電源ケーブルが接続ケーブルと接触していると、電源ケーブルの電源ノイズが接続ケーブルに伝わり、表示器に電源ノイズを要因とする表示不良が発生する虞がある。
【０００５】
本願の開示する技術は、一つの側面として、表示器に電源ノイズを要因とする表示不良が発生することを抑制できる情報処理装置を提供することを目的とする。
【課題を解決するための手段】
【０００６】
上記目的を達成するために、本願の開示する技術の情報処理装置は、表示器と、回路基板と、電源ケーブルと、接続ケーブルとを備える。電源ケーブルは、回路基板に接続され、接続ケーブルは、表示器に接続されている。接続ケーブルは、回路基板の板厚方向視にて電源ケーブルと重複する重複部を有しており、電源ケーブルと重複部との間には、回路基板から突出する突出部が配置されている。
【発明の効果】
【０００７】
本願の開示する技術によれば、表示器に電源ノイズを要因とする表示不良が発生することを抑制することができる。
【図面の簡単な説明】
【０００８】
【図１】ノート型パーソナルコンピュータの斜視図である。
【図２】ノート型パーソナルコンピュータを底面側から見た斜視図であって、ロアカバーを取り外した状態を示す図である。
【図３】ロアカバーが取り外された状態での本体装置の要部拡大底面図である。
【図４】回路基板に形成された突出部の周辺部における要部拡大底面図である。
【図５】突出部の周辺部における要部拡大縦断面図である。
【発明を実施するための形態】
【０００９】
以下、本願の開示する技術の一実施形態を説明する。
【００１０】
本実施形態では、「情報処理装置」の一例として、ノート型パーソナルコンピュータについて説明する。図１には、本実施形態に係るノート型パーソナルコンピュータ１０が斜視図にて示されている。
【００１１】
各図の矢印ＵＰ、矢印ＦＲ、及び、矢印ＬＨは、ノート型パーソナルコンピュータ１０の高さ方向の上側、奥行方向の手前側（前側）、及び、横幅方向の左側をそれぞれ示している。図１に示されるように、ノート型パーソナルコンピュータ１０は、本体装置１２及び表示装置１４を備える。
【００１２】
本体装置１２には、キーボードユニット１６が設けられ、表示装置１４には、例えば液晶表示器などの表示器１８が設けられている。表示装置１４は、本体装置１２に回動可能に固定されている。この表示装置１４は、本体装置１２側に閉じられた状態と、本体装置１２から開かれた状態とを取り得る。図１では、表示装置１４が開かれた状態で示されている。
【００１３】
本体装置１２は、偏平箱型のケース２０を有している。このケース２０は、本体装置１２の厚さ方向に二分割されたアッパーカバー２２及びロアカバー２４を有する。図２には、ノート型パーソナルコンピュータ１０を底面側から見た斜視図が示されている。この図２では、ロアカバー２４がアッパーカバー２２から取り外された状態で示されている。
【００１４】
この図２に示されるように、本体装置１２は、ケース２０の内側に回路基板２６（メイン基板）を有する。回路基板２６は、本体装置１２の厚さ方向を板厚方向として配置されている。この回路基板２６には、上述の表示器１８の駆動等を行うための複数の電子部品が実装されている。本体装置１２の側部には、外部電源コネクタ２８等を含む種々のコネクタが配置されている。
【００１５】
図３には、本体装置１２が底面図にて示されている。この図３では、上述のロアカバー２４（図２参照）が取り外された状態で示されている。この図３に示されるように、本体装置１２の内部には、電源ケーブル３０及び接続ケーブル３２が設けられている。
【００１６】
電源ケーブル３０の一端は、外部電源コネクタ２８に接続されており、電源ケーブル３０の他端には、コネクタ３４が接続されている。回路基板２６の下面２６Ａには、電源コネクタ３６が実装されており、コネクタ３４は、電源コネクタ３６に接続されている。この電源コネクタ３６と外部電源コネクタ２８とを接続する電源ケーブル３０は、概略矩形状の回路基板２６に形成された複数の縁部のうち本体装置１２の後側に位置する縁部２６Ｂに沿って配線されている。
【００１７】
接続ケーブル３２は、複数の接続線３８を有している。複数の接続線３８は、被覆材４０によって束ねられている。回路基板２６の下面２６Ａには、接続コネクタ４２が実装されており、接続ケーブル３２の一端（各接続線３８の一端）は、接続コネクタ４２に接続されている。また、接続ケーブル３２の他端は、上述の表示器１８（図１，図２参照）に接続されている。表示器１８には、接続ケーブル３２を通じて回路基板２６から電力が供給されると共に回路基板２６から信号が送られる。
【００１８】
接続ケーブル３２の一端と他端との間の部分（被覆材４０によって束ねられた部分）は、本体装置１２の内部において、部品や構造体を避けて配線されている。この接続ケーブル３２の一端と他端との間の部分は、屈曲部を介して連続する複数の配線部４４，４６，４８を有する。
【００１９】
配線部４４は、回路基板２６から本体装置１２の後側へ延出され、配線部４６は、配線部４４から本体装置１２の横幅方向外側（左側）へ延出され、配線部４８は、配線部４６から本体装置１２の後側へ延出されている。
【００２０】
また、接続ケーブル３２の一部（つまり配線部４４，４６）は、回路基板２６の板厚方向視にて電源ケーブル３０の一部と重複されている。この配線部４４，４６は、電源ケーブル３０よりも本体装置１２の底面側に位置する。本実施形態において、配線部４４，４６のうち配線部４４は、「重複部」の一例に相当する。
【００２１】
回路基板２６の一の縁部２６Ｂには、本体装置１２の後側へ向けて突出された舌片状の突出部５０が形成されている（図４も参照）。この突出部５０は、電源ケーブル３０と接続ケーブル３２（配線部４４）との間に配置されている。ノート型パーソナルコンピュータ１０の通常使用時に本体装置１２が水平に配置された状態において、回路基板２６は、鉛直方向を板厚方向として配置され、突出部５０は、回路基板２６から水平方向に突出される。突出部５０の先端角部には、面取りが施されている。
【００２２】
また、突出部５０には、グランド部５２が設けられている（図４も参照）。グランド部５２は、例えば銅などの金属により形成されており、回路基板２６に形成された他のグランド部と同様に接地されている。
【００２３】
なお、本体装置１２の組立時には、本体装置１２が上下逆さまの状態とされる。そして、電源ケーブル３０は、突出部５０の下側をくぐるように配線され、接続ケーブル３２は、回路基板２６の上を通るように配線される。このとき、接続ケーブル３２は、回路基板２６の下面２６Ａに貼付等されずにフリーな状態とされる。また、本体装置１２が上下逆さまとされた状態で、本体装置１２の内部部品は、積み上げ式で組み立てられる。
【００２４】
図５には、突出部５０の周辺部が背面図にて示されている。この図５では、本体装置１２が本来の上下の向きで水平に配置されている。この図５に示されるように、本体装置１２が本来の上下の向きで水平に置かれた場合、電源ケーブル３０は、突出部５０に対する鉛直方向上側を通り、配線部４４は、突出部５０に対する鉛直方向下側に配置される。そして、電源ケーブル３０は、その自重により突出部５０に支持され、配線部４４は、その自重により突出部５０に対して鉛直方向下側に離間される。また、配線部４４と突出部５０との間には、クリアランス５４が形成される。
【００２５】
次に、本実施形態の作用及び効果について説明する。
【００２６】
以上詳述したように、本実施形態によれば、接続ケーブル３２は、回路基板２６の板厚方向視にて電源ケーブル３０と重複する配線部４４を有しており、この電源ケーブル３０と配線部４４との間には、回路基板２６から突出する突出部５０が配置されている。したがって、この突出部５０により、電源ケーブル３０と接続ケーブル３２との接触が回避されるので、電源ケーブル３０の電源ノイズが接続ケーブル３２に伝わることを抑制することができる。これにより、表示器１８に電源ノイズを要因とする表示不良が発生することを抑制することができる。
【００２７】
しかも、電源ケーブル３０と接続ケーブル３２（配線部４４）との間に配置される突出部５０は、回路基板２６から突出することで回路基板２６に一体に形成されている。したがって、電源ケーブル３０と接続ケーブル３２との接触を回避するための専用の部材が不要であるので、部品点数及び組付工数の増加を抑制することができる。これにより、コストダウンを図ることができると共に、本体装置１２の組立性を向上させることができる。
【００２８】
また、突出部５０には、グランド部５２が設けられており、このグランド部５２が金属シールドとして機能するので、電源ノイズを遮断することができる。これにより、電源ケーブル３０の電源ノイズが接続ケーブル３２に伝わることをより一層効果的に抑制することができる。
【００２９】
また、本体装置１２が本来の上下の向きで水平に置かれた場合、電源ケーブル３０は、突出部５０に対する鉛直方向上側を通り、接続ケーブル３２の配線部４４は、突出部５０に対する鉛直方向下側に配置される。そして、電源ケーブル３０は、その自重により突出部５０に支持され、配線部４４は、その自重により突出部５０に対して鉛直方向下側に離間される。これにより、電源ケーブル３０と配線部４４とを適切に離間させることができるので、電源ケーブル３０の電源ノイズが接続ケーブル３２に伝わることを抑制する効果を高めることができる。
【００３０】
さらに、配線部４４がその自重により突出部５０に対して鉛直方向下側に離間されることにより、配線部４４と突出部５０との間には、クリアランス５４が形成される。これにより、電源ケーブル３０と配線部４４との離間距離を確保することができるので、このことによっても、電源ケーブル３０の電源ノイズが接続ケーブル３２に伝わることを抑制する効果を高めることができる。
【００３１】
また、電源コネクタ３６及び接続コネクタ４２は、回路基板２６の下面２６Ａに実装され、電源ケーブル３０は、突出部５０に対する鉛直方向上側を通り、配線部４４は、突出部５０に対する鉛直方向下側に配置される。これにより、本体装置１２を上下逆さまとした状態では、本体装置１２の内部部品を積み上げ式で組み立てることができるので、本体装置１２の組立性をより向上させることができる。
【００３２】
次に、本実施形態の変形例について説明する。
【００３３】
上記実施形態において、突出部５０は、電源ケーブル３０と配線部４４との間に配置されているが、突出部５０は、電源ケーブル３０と配線部４４，４６との間に配置されても良い。この場合には、配線部４４，４６が「重複部」の一例に相当する。
【００３４】
また、上記実施形態において、電源コネクタ３６及び接続コネクタ４２は、回路基板２６の下面２６Ａに実装されている。そして、電源ケーブル３０は、突出部５０に対する鉛直方向上側を通り、配線部４４は、突出部５０に対する鉛直方向下側に配置されている。
【００３５】
しかしながら、電源コネクタ３６及び接続コネクタ４２は、回路基板２６の上面に実装され、電源ケーブル３０は、突出部５０に対する鉛直方向下側を通り、配線部４４は、突出部５０に対する鉛直方向上側に配置されても良い。また、この場合に、配線部４４は、その自重により突出部５０に支持され、電源ケーブル３０は、その自重により突出部５０に対して鉛直方向下側に離間されても良い。
【００３６】
また、上記実施形態において、接続ケーブル３２は、表示器１８と回路基板２６とを接続するが、回路基板２６以外に本体装置１２に設けられた基板と表示器１８とを接続していても良い。
【００３７】
また、上記実施形態において、上述の突出部５０を有する構造は、ノート型パーソナルコンピュータに適用されているが、上述の突出部５０を有する構造は、ノート型パーソナルコンピュータ以外の情報処理装置に適用されても良い。
【００３８】
なお、上記複数の変形例は、適宜、組み合わされて実施されても良い。
【００３９】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００４０】
なお、上述の本願の開示する技術の一態様に関し、更に以下の付記を開示する。
【００４１】
（付記１）
表示器と、
回路基板と、
前記回路基板に接続された電源ケーブルと、
前記回路基板の板厚方向視にて前記電源ケーブルと重複する重複部を有し、前記表示器に接続された接続ケーブルと、
前記回路基板から突出し、前記電源ケーブルと前記重複部との間に配置された突出部と、
を備える情報処理装置。
（付記２）
前記突出部には、グランド部が設けられている、
付記１に記載の情報処理装置。
（付記３）
前記回路基板は、鉛直方向を板厚方向として配置され、
前記突出部は、前記回路基板から水平方向に突出し、
前記電源ケーブルは、前記突出部に対する鉛直方向上側を通り、
前記重複部は、前記突出部に対する鉛直方向下側に配置される、
付記１又は付記２に記載の情報処理装置。
（付記４）
前記電源ケーブルは、その自重により前記突出部に支持される、
付記３に記載の情報処理装置。
（付記５）
前記重複部は、その自重により前記突出部に対して鉛直方向下側に離間される、
付記３又は付記４に記載の情報処理装置。
（付記６）
前記回路基板の下面には、電源コネクタ及び接続コネクタが実装され
前記電源ケーブルは、前記電源コネクタに接続され、
前記接続ケーブルは、前記接続コネクタに接続されている、
付記３〜付記５のいずれか一項に記載の情報処理装置。
（付記７）
前記情報処理装置は、
前記回路基板を有する本体装置と、
前記表示器を有し、前記本体装置に回動可能に固定された表示装置と、
を備えるノート型パーソナルコンピュータである、
付記１〜付記６のいずれか一項に記載の情報処理装置。
【符号の説明】
【００４２】
１０  ノート型パーソナルコンピュータ（情報処理装置の一例）
１２  本体装置
１４  表示装置
１８  表示器
２６  回路基板
２６Ａ  下面
３０  電源ケーブル
３２  接続ケーブル
３６  電源コネクタ
４２  接続コネクタ
４４  配線部（重複部の一例）
５０  突出部
５２  グランド部
【図１】
0006443761.tif 000002
【図２】
0006443761.tif 000003
【図３】
0006443761.tif 000004
【図４】
0006443761.tif 000005
【図５】
0006443761.tif 000006